(57)【要約】【課題】屋外からは屋内が透視しにくく、かつ屋内の扉を閉じた状態で宅配物の有無を確認しうるようにした宅配ボックスを提供する。【解決手段】宅配ボックス１は、外壁４を貫通するように設置され、屋外に開口する荷挿入口１０と屋内に開口する荷取出口１１を有するボックス本体３と、荷挿入口１０に開閉可能に設けられた外扉１２と、荷取出口１１に開閉可能に設けられた内扉１４とを備え、内扉１４は、半透光性部材１６により形成されている。【選択図】図３
2019154516.tif 000002
【特許請求の範囲】
【請求項１】
住宅の外壁に設置される宅配ボックスであって、
前記外壁を貫通するように設置され、屋外に開口する荷挿入口と屋内に開口する荷取出口を有するボックス本体と、
前記荷挿入口に開閉可能に設けられた外扉と、
前記荷取出口に開閉可能に設けられた内扉と、を備え、
前記内扉の少なくとも一部は、半透光性部材により形成されていることを特徴とする宅配ボックス。
【請求項２】
前記半透光性部材は、エンボス加工を施したガラス、すりガラス、フロストガラス、型板ガラスのいずれか、または透明ガラスもしくは透明合成樹脂材に半透光性シートを貼着したものであることを特徴とする請求項１に記載の宅配ボックス。
【請求項３】
前記半透光性部材は、暗色の透明ガラスもしくは透明合成樹脂材、または透明ガラスもしくは透明合成樹脂材に暗色のシートを貼着したものであることを特徴とする請求項１に記載の宅配ボックス。
【請求項４】
前記半透光性部材は、表面に模様を付した透明ガラスもしくは透明合成樹脂材、または透明ガラスもしくは透明合成樹脂材に模様を付したシートを貼着したものであることを特徴とする請求項１に記載の宅配ボックス。
【請求項５】
前記ボックス本体の内部に、当該ボックス本体内に宅配物が収容されたことを検知して点灯するか、宅配物の収容後に前記外扉が閉じられたことを検知して点灯する照明装置を設けたことを特徴とする請求項１ないし４のいずれかに記載の宅配ボックス。
【請求項６】
前記内扉は、前記半透光性部材と該半透光性部材の周端を囲む扉枠とを備え、前記内扉と前記ボックス本体との開扉を行う開扉操作装置が前記扉枠の側面に設けられていることを特徴とする請求項１ないし５のいずれかに記載の宅配ボックス。
【発明の詳細な説明】
【技術分野】
【０００１】
本発明は、戸建て住宅等の外壁を貫通させて設置され、屋外から宅配業者によって収容された宅配物を、住人が屋内から取り出すことができるようにした宅配ボックスに関する。
【背景技術】
【０００２】
近年、宅配業者が留守宅に宅配物を届けることができようにした宅配ボックスが多用されてきている。このような宅配ボックスの中には、戸建て住宅等の外壁を貫通させて設置され、屋外から宅配業者によって収容された宅配物を、住人が室内から取り出すことができるようにした外壁貫通タイプのものがある(例えば特許文献１参照)。
【先行技術文献】
【特許文献】
【０００３】
【特許文献１】特開２０１７−２２５４９６号公報
【発明の概要】
【発明が解決しようとする課題】
【０００４】
特許文献１に記載されている宅配ボックスは、荷受箱に対向状に形成された、屋外に開口する荷受口と屋内に開口する荷出口とに、それぞれ金属板を折曲して形成された不透明の開閉扉が設けられている。
【０００５】
特許文献１に記載されている宅配ボックスのように、屋内の荷出口に設けた開閉扉が不透明の金属板によって形成されていると、荷受箱の内部が屋内から視認することができないので、留守中に宅配物が届けられ、帰宅した住人が宅配物の有無を確認する場合には、その都度、屋内の開閉扉を開けて確認する必要があり、確認作業が面倒である。
【０００６】
この問題を解消するためには、屋内から荷受箱の内部を視認しうるように、屋内の開閉扉を透明なガラス扉等により形成することが考えられる。
【０００７】
しかし、このような透明な扉を用いると、屋外の荷受口と屋内の荷出口とは互いに対向しているので、宅配業者が屋外の開閉扉を開けて宅配物を荷受箱に収容する際に、屋内の透明な開閉扉を通して屋内が透視され、プライバシー保護の観点から好ましくない。
【０００８】
本発明は、前記問題点に鑑みてなされたもので、屋外からは屋内が透視しにくく、かつ屋内の扉を閉じた状態で宅配物の有無を確認しうるようにした宅配ボックスを提供することを目的としている。
【課題を解決するための手段】
【０００９】
上記課題を解決するために、本発明の宅配ボックスは、
住宅の外壁に設置される宅配ボックスであって、
前記外壁を貫通するように設置され、屋外に開口する荷挿入口と屋内に開口する荷取出口を有するボックス本体と、
前記荷挿入口に開閉可能に設けられた外扉と、
前記荷取出口に開閉可能に設けられた内扉と、を備え、
前記内扉の少なくとも一部は、半透光性部材により形成されていることを特徴としている。
この特徴によれば、内扉が閉じられている状態において、屋外から室内が透視しにくく、室内からはボックス本体内に収容された郵便物をうっすらと視認することができる。従って、宅配業者が屋外の外扉を開けて宅配物をボックス本体内に収容する際に、内扉を通して屋内が透視されるおそれはなく、プライバシーが保護されるとともに、内扉を閉じたままで屋内から宅配物の有無を確認することができる。
【００１０】
前記半透光性部材は、エンボス加工を施したガラス、すりガラス、フロストガラス、型板ガラスのいずれか、または透明ガラスもしくは透明合成樹脂材に半透光性シートを貼着したものであることを特徴としている。
この特徴によれば、半透光性部材に全て汎用品を使用しうるので、半透光性部材のコスト低減が図れる。
【００１１】
前記半透光性部材は、暗色の透明ガラスもしくは透明合成樹脂材、または透明ガラスもしくは透明合成樹脂材に暗色のシートを貼着したものであることを特徴としている。
この特徴によれば、ボックス本体内の照度が確保できる状態においては、屋内から宅配物を明確に視認することができる。
【００１２】
前記半透光性部材は、表面に模様を付した透明ガラスもしくは透明合成樹脂材、または透明ガラスもしくは透明合成樹脂材に模様を付したシートを貼着したものであることを特徴としている。
この特徴によれば、模様により屋外から室内が透視しにくく、かつ室内からは宅配物のシルエットを視認することができる。
【００１３】
前記ボックス本体の内部に、当該ボックス本体内に宅配物が収容されたことを検知して点灯するか、宅配物の収容後に前記外扉が閉じられたことを検知して点灯する照明装置を設けたことを特徴としている。
この特徴によれば、照明装置によりボックス本体内に収容された宅配物が照明されるので、屋内の照明が暗くても、宅配物を屋内から容易に視認することができる。
【００１４】
前記内扉は、前記半透光性部材と該半透光性部材の周端を囲む扉枠とを備え、前記内扉と前記ボックス本体との開扉を行う開扉操作装置が前記扉枠の側面に設けられていることを特徴としている。
この特徴によれば、開扉を行う開扉操作装置が半透光性部材に重ならないため、室内からボックス本体内を確認し易いばかりか、屋外側から開扉操作装置が視認できないため、セキュリティ性を確保することができる。
【図面の簡単な説明】
【００１５】
【図１】本発明の宅配ボックスの実施例を屋外より見た斜視図である。
【図２】同じく、屋内より見た斜視図である。
【図３】図２のIII−III線に沿う拡大横断平面図である。
【図４】図２のIV−IV線に沿う拡大断面図である。
【発明を実施するための形態】
【００１６】
本発明の実施形態を、実施例及び図面に基づいて以下に説明する。
【実施例】
【００１７】
図１ないし図４は、本発明に係る宅配ボックスの実施例を示す。なお、以下においては、屋外側を前、屋内側を後として説明する。
【００１８】
この宅配ボックスは、留守中でも宅配業者が宅配物を届けることができるように、戸建て住宅等の外壁に設置されるもので、屋外から宅配業者によって収容された宅配物を、住人が屋内から取り出すことができるようになっている。
【００１９】
本実施例では、後述するボックス本体３の下半部を宅配ボックス１とし、上半部を、通常の郵便物やコンパクトサイズの宅配物を投入可能なポスト部２として使用し得るようになっているが、上半部のポスト部２は省略して実施してもよいことはいうまでもない。
【００２０】
図１に示されるように、ボックス本体３は、例えば金属または合成樹脂により、前後両方向に開口する縦長の箱状に形成され、ボックス本体３の後端部が住宅の外壁４を貫通するようにそれに埋め込まれて設置される。ボックス本体３の内部の収容空間は、仕切板５によって上下に２分割され、上半部の収容空間は、ポスト部２に投入された郵便物等の収容空間として使用され、下半部の収容空間に宅配物Ｐが収容される(図３参照)。
【００２１】
ボックス本体３における屋外に突出する部分は、前方と上方に開口し、ポスト部２として使用される上半部の前面開口部は、閉塞板６によって閉塞され、上面の開口部には、横長の投入口７を有する上面板８が取り付けられている。上面板８には、その上面のほぼ全部と投入口７を覆いうるカバー９が開閉自在に取り付けられている。宅配ボックス１として使用されるボックス本体３の下半部の前面開口部は、荷挿入口１０として使用される(図３参照)。
【００２２】
ボックス本体３における屋内に露出する部分には、後方に開口する荷取出口１１が形成されている。荷取出口１１は、上半部の収容空間内にポスト部２から投入された郵便物等の取出口としても共用し得るようになっている。
【００２３】
ボックス本体３の下半部の前面には、荷挿入口１０を開閉する外扉１２の右側縁部が、ヒンジ(図示省略)により取り付けられている。外扉１２は、金属または不透明の合成樹脂により形成されている。
【００２４】
外扉１２の前面の左側部には、解錠装置１３が取り付けられている。本実施例では、解錠装置１３の一例として、例えば３列のダイヤルに刻印された数字を合わせることにより解錠可能なダイヤル錠が使用されている。住人が外出する際、外扉１２を宅配業者が開けられるように、ダイヤル錠を解錠状態としておき、宅配物を宅配ボックス１に収納した宅配業者が、複数のダイヤルを適当に回転させることにより、外扉１２は施錠される。
【００２５】
図２及び図３に示すように、ボックス本体３の後面には、荷取出口１１を開閉する内扉１４の左側縁部が、ヒンジ(図示省略)により取り付けられている。内扉１４は、縦長矩形枠状をなす金属または合成樹脂よりなる扉枠１５と、この扉枠１５の内面に嵌め込まれた半透光性部材１６とからなっている。
【００２６】
尚、半透光性部材とは、光は透過させながらも、視認性を妨げるようなものを指しており、本実施例における半透光性部材１６としては、例えば表面にエンボス加工を施したガラス、すりガラス、フロストガラス、型板ガラス等が使用される。また、半透光性部材１６は、透明なガラスまたはアクリル等の合成樹脂材に、表面にエンボス加工を施したシートや乳白色の半透光性シートや例えば暗色に着色した半透光性カラーシート等を貼着したものであってもよい。さらに、表面に模様を付した透明ガラスもしくは透明合成樹脂材、または透明ガラスもしくは透明合成樹脂材に模様を付したシートを貼着したものであってもよい。この模様は、細かい円形や四角形等を近接させた状態に点在させた所謂ドット柄や、格子柄、幾何学模様、等であり、模様についてもエンボス加工等で形成してもよい。
【００２７】
内扉１４にこのような半透光性部材１６を用いると、内扉１４が閉じられている状態において、屋外から室内が透視しにくく、室内からはボックス本体３内に収容された郵便物等や宅配物Ｐをうっすらと視認することができる。
【００２８】
また、図３に示すように、ボックス本体３における下半部の前方寄りの内壁面に、宅配物Ｐを前方から照明する照明装置１７を設けるのが好ましい。この照明装置１７は、例えばボックス本体３内に宅配物が収容されたことを検知して点灯するＬＥＤ等のセンサライトか、宅配物Ｐの収容後に外扉１２が閉じられたことをセンサ(図示略)が検知して点灯するＬＥＤライトや、解錠装置１３の施錠に連動して点灯するＬＥＤライト等が使用される。
【００２９】
このように、照明装置１７をボックス本体３内に設けると、ボックス本体３内の照度を確保でき、ボックス本体３内に収容された宅配物Ｐがシルエット状に照明されるので、屋内の照明が暗くても、宅配物Ｐを屋内から容易に視認することができる。
【００３０】
図４に示すように、扉枠１５の右側面の上下方向の中央部には、左側方に凹入する凹入部１８が形成され、この凹入部１８には、枠状をなす指掛け用の取手１９（開扉操作装置）が嵌合されている。
【００３１】
取手１９の内部には、内扉１４をロック状態に保持する後述のラッチ部材２１をロック解除方向に作動させる、コ字状断面の押しボタン式の操作部材２０が、左右方向に移動可能に嵌合されている。
【００３２】
操作部材２０の先端部の上下両端部には、１対のラッチ解除部２０ａ，２０ａが一体的に形成され、上部のラッチ解除部２０ａの上面には右上がりの傾斜面が、下部のラッチ解除部２０ａの下面には右下がりの傾斜面がそれぞれ形成されている。
【００３３】
上部のラッチ解除部２０ａの上方及び下部のラッチ解除部２０ａの下方には、ラッチ部材２１，２１が、上部及び下部のラッチ解除部２０ａ，２０ａの各傾斜面に接触するように、図示しないガイド部により上下方向に移動可能に設けられている。
【００３４】
上部のラッチ部材２１の左端部には下向きのラッチ爪２１ａが、下部のラッチ部材２１の左端部には上向きのラッチ爪２１ａが、それぞれ一体的に連設されている。上下のラッチ部材２１は、圧縮ばね２２，２２により常時ラッチ解除部２０ａ，２０ａ方向に付勢されている。
【００３５】
操作部材２０とほぼ対向する外壁４の開口部の上下方向の中央部には、上下方向に長い係止金具２３が取り付けられている。係止金具２３の上下の端部には、上下のラッチ爪２１ａ，２１ａを前面側に係止可能な係止部２３ａ，２３ａが、後方に向かって折曲形成されている。
【００３６】
内扉１４が閉じられている状態で、操作部材２０を図４の矢印方向に押し込むと、上下のラッチ解除部２０ａ，２０ａの傾斜面に接触しているラッチ部材２１、２１が、矢印で示すように上下反対方向に移動させられることにより、上下のラッチ爪２１ａ，２１ａが係止金具２３の上下の係止部２３ａ，２３ａより離脱し、ロックが解除される。従って、操作部材２０を押し込んだまま、取手１９に指を掛けて後方に引けば、内扉１４を開くことができる。
【００３７】
このように、取手１９や内扉１４を開扉する部材を、扉枠１５の側部側の内部に設け、操作部材２０を外側方から操作して内扉１４を開くようにすると、内扉１４の後面側に、操作ハンドルや取手等を突出させて設ける必要がないので、それらに物が当たったり、歩行の障害となるなどの虞はなく、かつ内扉１４の後面がすっきりして見栄えが向上する。また、操作ハンドルや取手が半透光性部材１６に重ならないため、室内からボックス本体３内を確認し易いばかりか、半透光性部材１６の視覚効果と併せて屋外側から操作ハンドルや取手等が視認できず、セキュリティ性を確保することができる。
【００３８】
以上説明したように、本実施例の宅配ボックス１においては、屋内の荷取出口１１に設けた内扉１４を、すりガラス、フロストガラス、型板ガラス等の半透光性部材１６により形成したことにより、内扉１４が閉じられている状態において、屋外から室内が透視しにくく、室内からはボックス本体３内に収容された宅配物Ｐをうっすらと視認することができる。
【００３９】
従って、宅配業者が屋外の外扉１２を開けて宅配物Ｐをボックス本体３内に収容する際に、内扉１４を通して屋内が透視される虞はなく、プライバシーが保護されるとともに、内扉１４を閉じたままで屋内から宅配物Ｐの有無を確認することができる。
【００４０】
また、照明装置１７を設け、この照明装置１７を宅配物Ｐが収容された状態で点灯する態様としたことで、この照明の点灯の有無から、室内側では宅配物Ｐの有無を確認することができる。更に、照明装置１７に解錠装置１３の施錠に連動して点灯するＬＥＤライトを採用した場合には、照明装置１７が点灯しているということは、外扉１２が部外者によって解錠できない状態、すなわち外扉１２が開けられない状態を示すことになり、内扉１４を開けた際に、荷挿入口１０を通して宅配業者と室内側の住人が鉢合わせる虞がないばかりか、時間帯によって屋外の照度が足りない場合において室内側の住人が侵入者と鉢合わせる虞がない。
【００４１】
また、半透光性部材１６に暗色やマジックガラス(ミラー)等を採用した場合、明るい方から暗い方が見えず、その逆は見えるものとなる。つまり、留守中の室内は暗く、屋外から屋内を透視し難くすることができる。尚、宅配物Ｐが収容された状態では、照明装置１７によりボックス本体３内の照度が確保されるため、屋内から宅配物を視認することができる。このような暗色やマジックガラス(ミラー)等は照度が確保されている状態においては、すりガラス等に比べて宅配物Ｐを明確に視認することができる。
【００４２】
以上、本発明の宅配ボックスを実施例に基づいて説明したが、具体的な構成はこの実施例に限定されるものではなく、本発明の要旨を逸脱しない範囲内で、次のような種々の変形や変更があっても、本発明に含まれる。
【００４３】
前記実施例では、内扉１４における扉枠１５を除いた全面を、半透光性部材１６により形成したが、例えば内扉１４の下方寄りの一部のみを、所定大きさの半透光性部材１６により形成してもよい。
【００４４】
また、半透光性部材１６に、薄く着色した着色ガラスや着色アクリル等を用いることもある。
【００４５】
さらに、前記実施例では、内扉１４をヒンジにより開閉するものとしたが、上下方向または左右方向にスライドさせて開閉する内扉とすることもできる。
【符号の説明】
【００４６】
１                宅配ボックス
２                ポスト部
３                ボックス本体
４                外壁
５                仕切板
６                閉塞板
７                投入口
８                上面板
９                カバー
１０              荷挿入口
１１              荷取出口
１２              外扉
１３              解錠装置
１４              内扉
１５              扉枠
１６              半透光性部材
１７              照明装置
１８              凹入部
１９              取手
２０              操作部材
２０ａ            ラッチ解除部
２１              ラッチ部材
２１ａ            ラッチ爪
２２              圧縮ばね
２３              係止金具
２３ａ            係止部
Ｐ                宅配物
【図１】
2019154516.tif 000003
【図２】
2019154516.tif 000004
【図３】
2019154516.tif 000005
【図４】
2019154516.tif 000006